(57)【要約】【課題】駐輪場の出入り口等を通過しようとする二輪車の種別（自転車か自動二輪車か）を正確に判別しつつ、そのスムーズな通行を可能にする二輪車判別装置及び方法を提供する。【解決手段】駐輪場の出入り口等における通路の途中に、そこを通過する二輪車の種別にかかわらずそのタイヤ部を検知してオンする第１のセンサを配置し、また、この第１のセンサの上方の所定の高さに、そこを通過する物体の有無を検知する第２のセンサを配置し、第１のセンサがオン状態にある時に第２のセンサが物体無しを検知した場合には自転車であると判別し、一方、第１のセンサがオン状態にある時に第２のセンサが物体有りを検知したままである場合には自動二輪車であると判別する。【選択図】図１
2006281958.tif 000002
【特許請求の範囲】
【請求項１】
所定の通路を通過する二輪車が自転車か自動二輪車かを判別する二輪車判別装置において、
前記通路を通過する二輪車のタイヤ部の厚みが所定値よりも厚いか否かを検知する厚み検知手段と、
該厚み検知手段による検知結果に基づき、前記通路を通過する二輪車が自転車か自動二輪車かを判別する判別手段と、
を備えることを特徴とする二輪車判別装置。
【請求項２】
前記厚み検知手段は、
前記通路を挟んで互いに対面し、前記通路の路面に対して第１の高さに配置された、第１の投光器及び第１の受光器からなる第１の光電センサと、
前記通路を挟んで互いに対面し、前記第１の光電センサの真下又はその近傍にあり、前記通路の路面に対して第２の高さに配置された、第２の投光器及び第２の受光器からなる第２の光電センサとを備え、
前記第１の高さは、自転車のタイヤ部の厚みよりも高く、自動二輪車のタイヤ部の厚みよりも低い位置に設定され、一方、前記第２の高さは、自転車のタイヤ部の厚みよりも低い位置に設定されている、
ことを特徴とする請求項１記載の二輪車判別装置。
【請求項３】
前記判別手段は、前記第２の光電センサが遮光状態にある間に前記第１の光電センサが透光状態になった場合、前記通路を通過する二輪車が自転車であると判別し、一方、前記第２の光電センサが遮光状態にある間に前記第１の光電センサも遮光状態のままである場合、前記通路を通過する二輪車が自動二輪車であると判別することを特徴とする請求項２記載の二輪車判別装置。
【請求項４】
前記厚み検知手段は、前記第１及び第２の光電センサを複数組備え、その各組が前記通路の進行方向に沿った別々の位置に配置されていることを特徴とする請求項２記載の二輪車判別装置。
【請求項５】
前記判別手段は、前記複数組の第１及び第２の光電センサのうちの少なくとも１組において、前記第２の光電センサが遮光状態にある間に前記第１の光電センサが透光状態になった場合、前記通路を通過する二輪車が自転車であると判別し、一方、前記複数組の第１及び第２の光電センサの全ての組において、前記第２の光電センサが遮光状態にある間に前記第１の光電センサも遮光状態のままである場合、前記通路を通過する二輪車が自動二輪車であると判別することを特徴とする請求項４記載の二輪車判別装置。
【請求項６】
前記厚み検知手段は、
前記通路を挟んで互いに対面し、前記通路の路面に対して所定の高さに配置された、投光器及び受光器からなる光電センサと、
前記通路の進行方向に対して前記光電センサと同一位置又はその近傍であって、前記通路の路面内に配置された圧力スイッチとを備え、
前記所定の高さは、自転車のタイヤ部の厚みよりも高く、自動二輪車のタイヤ部の厚みよりも低い位置に設定されている、
ことを特徴とする請求項１記載の二輪車判別装置。
【請求項７】
前記判別手段は、前記圧力スイッチがオン状態である間に前記光電センサが透光状態になった場合、前記通路を通過する二輪車が自転車であると判別し、一方、前記圧力スイッチがオン状態である間に前記光電センサが遮光状態のままである場合、前記通路を通過する二輪車が自動二輪車であると判別することを特徴とする請求項６記載の二輪車判別装置。
【請求項８】
前記厚み検知手段は、前記光電センサ及び前記圧力スイッチを複数組備え、その各組が前記通路の進行方向に沿った別々の位置に配置されていることを特徴とする請求項６記載の二輪車判別装置。
【請求項９】
前記判別手段は、前記複数組の光電センサ及び圧力スイッチのうちの少なくとも１組において、前記圧力スイッチがオン状態である間に前記光電センサが透光状態になった場合、前記通路を通過する二輪車が自転車であると判別し、一方、前記複数組の光電センサ及び圧力スイッチの全ての組において、前記圧力スイッチがオン状態である間に前記光電センサが遮光状態のままである場合、前記通路を通過する二輪車が自動二輪車であると判別することを特徴とする請求項８記載の二輪車判別装置。
【請求項１０】
前記通路は、自転車と自動二輪車の兼用駐輪場の出口又は入口における通路であることを特徴とする請求項１乃至９のいずれか１項に記載の二輪車判別装置。
【請求項１１】
所定の通路を通過する二輪車が自転車か自動二輪車かを判別する二輪車判別方法において、
前記通路の途中に、前記通路を通過する二輪車の種別にかかわらずそのタイヤ部を検知してオンする第１のセンサを配置し、
前記通路の進行方向に対して前記第１のセンサと同一位置又はその近傍であって、自転車のタイヤ部の厚みよりも高く自動二輪車のタイヤ部の厚みよりも低い所定の高さに、該所定の高さを通過する物体の有無を検知する第２のセンサを配置し、
前記第１のセンサがオン状態にある時に前記第２のセンサが物体無しを検知した場合には、前記通路を通過する二輪車が自転車であると判別し、一方、前記第１のセンサがオン状態にある時に前記第２のセンサが物体有りを検知したままである場合には、前記通路を通過する二輪車が自動二輪車であると判別する、
ことを特徴とする二輪車判別方法。
【発明の詳細な説明】
【技術分野】
【０００１】
本発明は、例えば自転車と自動二輪車(ここで、「自動二輪車」とはいわゆる「バイク」の意味であり、狭義の自動二輪車のみならず、原動機付自転車をも含むものとする)の兼用駐輪場等において使用される、自転車と自動二輪車の判別をする装置に関する。
【背景技術】
【０００２】
一般に、自転車・自動二輪車兼用駐輪場において管理を行う際は、所要駐車スペースに応じて料金に差を設けて徴収している。そのような自転車・自動二輪車兼用駐輪場において無人化管理するためには、駐輪場の出入り口（出口又は入口）に自転車と自動二輪車の判別装置を設置することが必要になる。この種の判別装置としては、例えば特許文献１に記載されているような溝式の判別装置が知られている。
【０００３】
この溝式の判別装置は、駐輪場における出入り口の進行通路に、自転車のタイヤ幅よりも広く、自動二輪車のタイヤ幅よりも狭い幅の溝を設け、この溝へのタイヤの進入の可否を検知することで、二輪車の種別（自転車か自動二輪車か）を判断しようとするものである。
【特許文献１】特開平８−２９６３３６号公報
【発明の開示】
【発明が解決しようとする課題】
【０００４】
しかしながら、上記の溝式のものでは、溝の幅が自転車のタイヤ幅よりも若干広い程度であり、非常に狭く設定されているため、そのような狭い溝に自転車の車輪を通すには、針穴に糸を通すが如く、細心の注意を払わなければならず、特に初めての利用者にこのような繊細な操作を確実に実行させることは容易ではないため、利用者に混乱が生じてしまう。また、自動二輪車の場合は、タイヤの幅が広くて溝内を通行できないために、溝とは別個に設けられた斜面を昇り降りさせるという力作業が必要となる。その結果、駐輪場に出入りする際の通行の能率が著しく下がり、出入り口での渋滞の発生原因となっていた。
【０００５】
本発明は、上記従来の問題点に鑑みてなされたものであり、その解決しようとする課題は、自転車・自動二輪車兼用駐輪場等の無人化管理を実現するために、駐輪場の出入り口等を通過しようとする二輪車の種別（自転車か自動二輪車か）を正確に判別しつつ、そのスムーズな通行を可能にする二輪車判別装置及び方法を提供することである。
【課題を解決するための手段】
【０００６】
上記課題を解決するために、本発明は以下のような構成を採用する。
まず、本発明の二輪車判別装置は、例えば自転車・自動二輪車兼用駐輪場の出入り口等における所定の通路を通過する二輪車が自転車か自動二輪車かを判別する装置において、  上記通路を通過する二輪車のタイヤ部の厚み（ここで言う「タイヤ部の厚み」とは、タイヤの内周部を支持するリムの厚みをも含めたタイヤ及びリムの全体の厚みのことである）が所定値よりも厚いか否かを検知する厚み検知手段と、この厚み検知手段による検知結果に基づき、上記通路を通過する二輪車が自転車か自動二輪車かを判別する判別手段と、を備えることを特徴とするものである。
【０００７】
このような構成からなる本発明の装置によれば、所定の通路を二輪車が通過する際に、そのタイヤ部の厚みが厚み検知手段により検知され、その検知結果に基づいて二輪車の種別の判別がなされる。すなわち、自転車と自動二輪車とでは、それらのタイヤ部の厚みが相違する（前者よりも後者の方が厚い）という点に着目し、その厚みが所定値よりも厚いか否かに応じて、二輪車の種別を明確に識別できるようにしている。よって、二輪車を駐輪場等に出入りさせる際は、十分に広い幅の通路に沿って二輪車を単に通過させるだけで、利用者が何ら意識せずとも、二輪車の種別の判別が自動的かつ正確に行われることになる。その結果、前述した従来の技術と比べ、利用者は自転車のタイヤを狭い溝に通すといった繊細な作業を強いられることがなくなり、また、大重量の自動二輪車を引っ張って斜面を昇り降りさせるといった力作業も不要になる。
【０００８】
ここで、上記の厚み検知手段や判別手段の構成は、タイヤ部の厚みに基づき二輪車の種別を判別可能な範囲内で各種のものを採用可能であるが、その望ましい一例を以下に示す。
【０００９】
厚み検知手段の一例としては、上記通路を挟んで互いに対面し、上記通路の路面に対して第１の高さに配置された、第１の投光器及び第１の受光器からなる第１の光電センサと、  上記通路を挟んで互いに対面し、上記第１の光電センサの真下又はその近傍にあり、上記通路の路面に対して第２の高さに配置された、第２の投光器及び第２の受光器からなる第２の光電センサとを備え、上記第１の高さが、自転車のタイヤ部の厚みよりも高く、自動二輪車のタイヤ部の厚みよりも低い位置に設定され、一方、上記第２の高さが、自転車のタイヤ部の厚みよりも低い位置に設定されているものが考えられる。
【００１０】
その場合、判別手段としては、上記第２の光電センサが遮光状態にある間に上記第１の光電センサが透光状態になった場合、上記通路を通過する二輪車が自転車であると判別し、一方、上記第２の光電センサが遮光状態にある間に上記第１の光電センサも遮光状態のままである場合、上記通路を通過する二輪車が自動二輪車であると判別するようにすることが望ましい。
【００１１】
このような判別処理を行うのは、次の理由による。すなわち、二輪車の通路の途中に、上記のように第１の光電センサを第１の高さ（すなわち、自転車のタイヤ部の厚みよりも高く、自動二輪車のタイヤ部の厚みよりも低い位置）に設置し、かつ、第２の光電センサを第２の高さ（すなわち、自転車のタイヤ部の厚みよりも低い位置）に設置した場合、そこを二輪車が通過する際は、そのタイヤ部の厚みに応じて第１及び第２の光電センサの状態が遷移するので、その遷移パターンの相違に基づき二輪車の種別を正確に判別することが可能となる。
【００１２】
具体的に述べれば、まず、第２の高さに設置された第２の光電センサは二輪車の種別にかかわらず、そこを通過するタイヤ部によって必ず一時的に遮光状態（投光器からの光が遮断されて、受光器へ入射しない状態）となり、この状態を検知することによって、二輪車がそこを通過しようとしていることが判別される。その状態において、そのまま二輪車が通過しようとすると、そのタイヤ部の厚みと第１の光電センサの設置高さ（第１の高さ）との関係から、その二輪車が自転車であれば第１の光電センサが一時的に透光状態（投光器からの光が遮断されずに受光器に入射されている状態）となり、一方、自動二輪車であれば第１の光電センサが遮光状態のままとなる。よって、第２の光電センサが遮光状態になっている期間において第１の光電センサの状態を確認するだけで、通路を通過する二輪車の種別を正確に判別することが可能となる。
【００１３】
上記の厚み検知手段の他の望ましい例としては、上記第１及び第２の光電センサを複数組備え、その各組が上記通路の進行方向に沿った別々の位置に（すなわち、互いに或る程度の間隔を置いて）配置されるようにすることも考えられる。
【００１４】
そしてその場合、判別手段としては、上記複数組の第１及び第２の光電センサのうちの少なくとも１組において、第２の光電センサが遮光状態にある間に第１の光電センサが透光状態になった場合、上記通路を通過する二輪車が自転車であると判別し、一方、上記複数組の第１及び第２の光電センサの全ての組において、第２の光電センサが遮光状態にある間に第１の光電センサも遮光状態のままである場合、上記通路を通過する二輪車が自動二輪車であると判別するようにすることが望ましい。
【００１５】
このようにすれば、もし仮に、通路を通過中の自転車のタイヤ部からその車輪中心部へ向けて突出している空気入れノズル等が障害物となって、本来ならば透光状態となるべき第１の光電センサが遮光状態になってしまったような場合であっても、通路の進行方向に対して位置的にずらして配置された他の第１の光電センサにとっては上記の空気入れノズル等が障害物とはならず、正確な検知が可能となる。よって、複数組設けられた第１及び第２の光電センサの状態を総合的に判断することにより、第１及び第２の光電センサを１組だけ配置した場合と比べ、障害物による誤判定を極力回避して、一層正確な判別が可能となる。
【００１６】
なお、上記の第２の光電センサは、二輪車の通過の有無を検知することだけが目的であることから、必ずしも光電センサである必要はなく、例えば通路の路面内に配置された圧力スイッチであってもよい。
【００１７】
次に、本発明の二輪車判別方法は、例えば自転車・自動二輪車兼用駐輪場の出入り口等における所定の通路を通過する二輪車が自転車か自動二輪車かを判別する方法において、上記通路の途中に、上記通路を通過する二輪車の種別にかかわらずそのタイヤ部を検知してオンする第１のセンサ（上述した第２の光電センサや圧力スイッチに対応）を配置し、上記通路の進行方向に対して上記第１のセンサと同一位置又はその近傍であって、自転車のタイヤ部の厚みよりも高く自動二輪車のタイヤ部の厚みよりも低い所定の高さに、この所定の高さを通過する物体の有無を検知する第２のセンサ（上述した第１の光電センサに対応）を配置し、上記第１のセンサがオン状態にある時に上記第２のセンサが物体無しを検知した場合には、上記通路を通過する二輪車が自転車であると判別し、一方、上記第１のセンサがオン状態にある時に上記第２のセンサが物体有りを検知したままである場合には、上記通路を通過する二輪車が自動二輪車であると判別することを特徴とするものである。
【００１８】
このような構成からなる本発明の方法によっても、上述した本発明の装置の場合と同様な原理により、通路に沿って二輪車を単に通過させるだけで、利用者が何ら意識せずとも、二輪車の種別を自動的かつ正確に判別することが可能になる。
【発明の効果】
【００１９】
本発明によれば、駐輪場等の利用者は自転車のタイヤを狭い溝に通すといった繊細な作業を強いられることがなくなり、また、大重量の自動二輪車を引っ張って斜面を昇り降りさせるといった力作業も不要になるため、駐輪場等に出入りする際の通行の能率を著しく向上させることができ、出入り口での渋滞の発生を極力抑えることができる。
【発明を実施するための最良の形態】
【００２０】
以下、図面を参照しながら、本発明の実施の形態について詳細に説明する。
（第１の実施形態）
図１は、本発明の第１の実施形態に係る二輪車判別装置を駐輪場出入り口に設置した場合の平面図である。
【００２１】
図１に示された駐輪場出入り口の構成はほんの一例であって、無人化管理に対応した一般的な構成を有するものであり、すなわち、駐輪場の外から内へ（または、内から外へ）二輪車６が通過可能なように通路Ｓが設けられ、この通路Ｓを挟んだ一方の側に精算機（または発券機）１が設置され、他方の側にゲートＡ７及びゲートＢ８が設置されている。ここで、精算機（または発券機）１は、自転車と自動二輪車の駐車料金を徴収したり、駐車券を発行するための装置である。また、２つのゲートＡ７及びゲートＢ８は、二輪車６の通行を順番に整理するためのものであり、通路Ｓの進行方向に沿って二輪車一台分弱の間隔を隔てて配置され、互いに９０度の回転位相差を有するように連動回転可能な構成となっており、一方が二輪車６の進行を禁止する位置にある時には他方が二輪車６の進行を可能にする位置となることで、二輪車６を一台ずつ順番に誘導可能である。
【００２２】
このような駐輪場出入り口の通路に設置された二輪車判別装置は、以下のような構成からなっている。
すなわち、通路Ｓを通過する二輪車６のタイヤ部の厚みが所定値よりも厚いか否かを検知する厚み検知手段として上下２段の光電センサを有しており、この光電センサは投光器及び受光器から構成され、投光器側を光電センサ投光器2−（ａ）、受光器側を光電センサ受光器３−（ａ）と称する。これらの光電センサ投光器2−（ａ）及び光電センサ受光器３−（ａ）は外部の汚れを遮断するために保護カバーが設けられており、これを光電センサカバー４と称する。光電センサ投光器2−（ａ）からは投光ビーム５−（ａ）が照射されており、この投光ビームを受光するために二輪車６の進行通路を挟んで対面位置に来るように光電センサ受光器３−（ａ）が設置される。
【００２３】
図２は光電センサ投光器2−（ａ）及び光電センサ受光器３−（ａ）の詳細位置を示す図である。光電センサ投光器2−（ａ）は２段で構成されており、上段を判別投光器２−１、下段を判別指令投光器２−２と称し、判別指令投光器２−２は判別投光器２−１の下方位置（真下またはその近傍）に設置されている。同様に光電センサ受光器３−（ａ）も２段で構成されており、上段を判別受光器３−１、下段を判別指令受光器３−２と称し、判別指令受光器３−２は判別受光器３−１の下方位置（真下またはその近傍）に設置されている。なお、「真下またはその近傍」とは、後述する検知および判別処理が可能な範囲内で真下位置から少々ずれていてもかまわない、という意味である。
【００２４】
図２において、判別投光器２−１及び判別受光器３−１の設置の高さＨ１は、詳しくは後述するが、二輪車の種別が自転車か自動二輪車かをそのタイヤ部の厚みに基づいて判別するための閾値に相当し、すなわち、自転車のタイヤ部の厚みよりも高く、自動二輪車のタイヤ部の厚みよりも低い位置に設定されている。なお、この高さＨ１は、判別の正確さを担保するために、さまざまな車種のタイヤ厚を参考にして最適値に設定されるものであり、例えば６０から７０ｍｍが適当であるが、これに限定されるものではない。
【００２５】
また、図２において、判別指令投光器２−２及び判別指令受光器３−２は、詳しくは後述するが、二輪車の通過の有無を検知して判別指令を出すためのものであり、その設置の高さＨ２は、自転車のタイヤ部の厚みよりも十分に低い位置に設定されている。
【００２６】
本実施形態における二輪車判別装置は、以上に述べた厚み検知手段としての光電センサの他に、その検知結果に基づき二輪車の種別を判別する判別手段を有している。この判別手段は、図１１に示される制御部によって実現される。
【００２７】
次に、上記制御部によって実行される判別処理について、図３及び図４を用いて説明する。なお、図３は通路Ｓを自転車が通過する場合の状態遷移を示しており、図４は通路Ｓを自動二輪車が通過する場合の状態遷移を示している。
【００２８】
まず、自転車の場合について、図３を用いて説明する。判別の対象となる車輪は、或る程度の厚みを有する円形環状体であることから、それが回転しながら光電センサの検知領域まで到達すると、図３（ａ）に示すように、まず上段位置（高さＨ１）にある判別投光器２−１の投光ビームがタイヤ９で遮光される。さらに、車輪の中心が、図３（ａ）に示した位置であるＡ点を超えると、今度は、下段位置（高さＨ２）にある判別指令投光器２−２の投光ビームがタイヤ９又はリム１０で遮光され始め、車輪の中心が図３（ｃ）に示すようにＢ点に達する直前まで判別指令投光器２−２の遮光状態が継続する。
【００２９】
このように判別指令投光器２−２の投光ビームが遮光されている間は、判別指令が継続して出力されているものとして認識される。ここで、Ｈ１は、上述したように自転車のタイヤ部（タイヤ９及びリム１０）の厚みよりも高く、自動二輪車のタイヤ部の厚みよりも低い位置に設定されているので、図３に示すように自転車が通過する場合は、そのタイヤ部によって判別指令投光器２−２の投光ビームが遮光されている期間（すなわち、判別指令が継続して出力されている期間）におけるいずれかの時点、例えば図３（ｂ）に示すように車輪の中心が判別投光器２−１の位置に到達する以前及び到達した瞬間等には、判別投光器２−１の投光ビームが判別受光器３−１に到達し、遮光状態から透光状態に切り替わる。よって、判別指令が出力されている状態において判別投光器２−１の投光ビームを判別受光器３−１が受光した場合、二輪車の種別は自転車であると判断する。
【００３０】
すなわち、自転車を検知・判別する場合の工程は、以下の通りである。
第１に、判別投光器２−１の投光ビームが遮光される（図３（ａ））。
第２に、判別指令投光器２−２の投光ビームが遮光されたのを認識して（図３（ｂ））、判別指令を出力する。
【００３１】
第３に、判別指令の出力中に、判別投光器２−１の投光ビームが判別受光器３−１にて受光される（図３（ｂ））。
第４に、判別投光器２−１の投光ビームが遮光される（図３（ｃ））。
【００３２】
第５に、判別指令投光器２−２の投光ビームが判別指令受光器３−２にて受光される（図３（ｃ））。
第６に、判別投光器２−１の投光ビームが判別受光器３−１にて受光される（図３（ｄ））。
【００３３】
ここで、第３の工程（図３（ｂ））においては、判別指令投光器２−２から判別指令が出されていて、かつ、判別投光器２−１の投光ビームが判別受光器３−１にて受光されるため、二輪車が自転車と判定される。
【００３４】
一方、図４に示す自動二輪車の場合、タイヤ部の厚みはＨ１よりも大きくなるため、その検知・判別の工程は以下の通りである。
第１に、判別投光器２−１の投光ビームが遮光される（図４（ａ））。
【００３５】
第２に、判別指令投光器２−２の投光ビームが遮光されたのを認識して（図４（ｂ））、判別指令を出力する。
第３に、判別指令投光器２−２の投光ビームが判別指令受光器３−２にて受光される（図４（ｃ））。
【００３６】
第４に、判別投光器２−１の投光ビームが判別受光器３−１にて受光される（図４（ｄ））。
ここで、第２の工程（図４（ｂ））から第３の工程（図４（ｃ））の間、判別指令投光器２−２から判別指令が出されていて、かつ、判別投光器２−１の投光ビームは遮光されたままであるので、二輪車が自動二輪車と判定される。
【００３７】
このようにして得られた判別結果は、図１に示した精算機（または発券機）１における駐車料金の精算や駐車券の発行等に反映される。
以上に述べたように、本実施形態に係る二輪車判別装置によれば、二輪車を駐輪場に出入りさせる際は、十分に広い幅の通路Ｓに沿って二輪車を単に通過させるだけで、利用者が何ら意識せずとも、二輪車の種別の判別が自動的かつ正確に行われることになる。特に、判別投光器２−１及び判別受光器３−１、判別指令投光器２−２及び判別指令受光器３−２はそれぞれ進行通路面を基準にして同じ高さＨ１、Ｈ２に設置されており、各投光器からの投光ビームが進行通路面に平行であるために、進行通路の幅方向の位置によらず路面に対する投光ビームの高さが一定となるので、二輪車が幅の広い進行通路の何処を通行しても正確な判別結果が得られる。
【００３８】
従って、このように正確な判別を可能にする一方で、従来の溝式の判別装置のように自転車のタイヤを狭い溝に通すといった繊細な作業や、大重量の自動二輪車を引っ張って斜面を昇り降りさせるといった力作業も不要になり、その結果、駐輪場に出入りする際の通行の能率を著しく向上させることができ、出入り口での渋滞の発生を極力抑えることができる。
（第２の実施形態）
図６は、本発明の第２の実施形態に係る二輪車判別装置を駐輪場出入り口に設置した場合の平面図である。なお、駐輪場出入り口の構成は、図１に示した第１の実施形態のものと同じであり、図１と同一の要素には同一の符合を付してある。
【００３９】
この実施形態は、上記第１の実施形態において予測される誤判定を極力防止するために、判別投光器及び判別受光器、判別指令投光器及び判別指令受光器を複数組（ここでは一例として３組）設けたものである。すなわち、上記第１の実施形態においては、例えば図５に示すように、たまたま自転車の空気入れノズル１１や車輪のスポークに取り付けた反射板１２が障害物になって、判別投光器２−１の投光ビームを遮断してしまう場合が考えられ、その場合、判別投光器２−１の投光ビームを判別受光器３−１が受光しない状態となり、自転車を自動二輪車と誤判定してしまう。そこで、誤判定の可能性を低くするために判別投光器及び判別受光器、判別指令投光器及び判別指令受光器を複数組設置し、そのそれぞれの組を通路Ｓの進行方向に沿った別々の位置に（すなわち、互いに所定距離だけ隔てて）配置する。
【００４０】
図６において、各組を構成する上下２段の光電センサはいずれも、上記第１の実施形態と同様、投光器及び受光器から構成され、投光器側を光電センサ投光器2−（ｂ）、受光器側を光電センサ受光器３−（ｂ）と称する。光電センサ投光器2−（ｂ）からは投光ビーム５−（ｂ）が照射されており、この投光ビームを受光するために二輪車６の進行通路を挟んで対面位置に来るように光電センサ受光器３−（ｂ）が設置されている。
図７は光電センサ投光器2−（ｂ）及び光電センサ受光器３−（ｂ）の詳細位置を示す図である。光電センサー投光器2−（ｂ）は３列２段で構成されており、投光器側上段を判別投光器２−１−１、判別投光器２−１、判別投光器２−１−２と称し、投光器側下段を判別指令投光器２−２−１、判別指令投光器２−２、判別指令投光器２−２−２と称する。判別指令投光器２−２−１、判別指令投光器２−２、判別指令投光器２−２−２は、判別投光器２−１−１、判別投光器２−１、判別投光器２−１−２の下方位置（真下又はその近傍）にそれぞれ設置されている。
同様に、光電センサ受光器３−（ｂ）は３列２段で構成されており、受光器側上段を判別受光器３−１−１、判別受光器３−１、判別受光器３−１−２と称し、受光器側下段を判別指令受光器３−２−１、判別指令受光器３−２、判別指令受光器３−２−２と称する。判別指令投光器３−２−１、判.別指令投光器３−２、判別指令投光器３−２−２は判別受光器３−１−１、判別受光器３−１、判別受光器３−１−２の下方位置（真下又はその近傍）にそれぞれ設置されている。この場合も、「真下またはその近傍」とは、後述する検知および判別処理が可能な範囲内で真下位置から少々ずれていてもかまわない、という意味である。
【００４１】
このように上下２段の光電センサを３組備える構成では、二輪車の種別の判別は次のように行う。すなわち、通路Ｓを二輪車が通過していくと、３組の光電センサのそれぞれにおいて、上記第１の実施形態の場合と同様、図３又は図４に示したように状態が遷移していくので、３組の光電センサの状態を総合的に判断する。具体的には、３組の光電センサのうちの少なくとも１組において、判別指令投光器から判別指令が出されている状態において判別投光器の投光ビームが判別受光器で受光された場合には、自転車であると判別する。一方、３組の光電センサの全ての組において、判別指令投光器から判別指令が出されている状態において判別投光器の投光ビームが判別受光器で受光されないままである場合には、自動二輪車であると判別する。
【００４２】
このようにすることで、もし仮に、図５のように自転車のタイヤ部から突出している空気入れノズル１１が障害物となって、投光器２−１からの投光ビームが遮断されてしまったような場合であっても、他の２つの投光器２−１−１、２−１−２からの投光ビームにとっては空気入れノズル１１が障害物とはならず、よって、判別指令が出されている状態において確実に投光ビームを受光することができる。また仮に、投光器２−１−２からの投光ビームにとって反射板１２が障害物になるような場合であっても、もう１つの投光器２−１−１からの光にとっては何も障害物が存在しないため、確実な検知が可能となる。その結果、光電センサを１組だけ配置した場合と比べ、障害物による誤判定を極力回避して、一層正確な判別を行うことができる。
【００４３】
なお、第２の実施形態では上下２段の光電センサを３組用いているが、これに限定されるものではなく、２組又は４組以上使用してもよい。
（第３の実施形態）
図８は、本発明の第３の実施形態に係る二輪車判別装置の要部を示す図である。
【００４４】
この実施形態は、第１の実施形態における判別指令投光器２−２及び判別指令受光器３−２の代わりに圧力スイッチ１３を路面内に設置したものである。ここで、第１の実施形態において判別指令用の投光器２−２及び受光器３−２を設けた理由は、二輪車の通過の有無をその種別にかかわらず確実に検知することにあり、言い換えれば、二輪車の車輪の中心が判別投光器の近傍にあるときに、判別指令を確実に出し続けることであるので、投光器２−２及び受光器３−２の代替手段として、判別投光器２−１の下方位置（真下又はその近傍）において判別投光器及び判別受光器の間の何処でもタイヤで踏むことでオンする圧力スイッチ１３（例えば、いわゆるテープスイッチ等）を設ける。この場合、圧力スイッチ１３は進行通路上のベースプレート１４上に敷設し、更に、圧力スイッチ１３の保護を目的として、緩衝材１５、例えばゴム板のカバーを圧力スイッチ１３の上に被せることが望ましい。
【００４５】
このような構成においては、図１２に示すように、判別投光器２−１、判別受光器２−２、及び圧力スイッチ１３の状態に基づき、制御部が判別処理を実行する。すなわち、制御部では、図８に示すように圧力スイッチ１３が二輪車に踏まれてオン状態となっている間（すなわち、判別指令が出ている間）に判別投光器２−１からの投光ビームが判別受光器３−１で受光された場合、自転車であると判別し、一方、圧力スイッチ１３がオン状態となっている間に判別投光器２−１からの投光ビームが判別受光器３−１で受光されないままである場合、自動二輪車であると判別する。
【００４６】
このような構成によっても、第１の実施形態と同様な効果が期待できる。
なお、圧力スイッチ１３を図９及び図１０に示すように通路Ｓの進行方向に複数設置すると共に、各圧力スイッチに対応した位置にそれぞれ判別投光器及び判別受光器を設置する構成とすることで、第２の実施形態と同様な作用・効果を得るようにすることも可能である。ここで、図９は路面内に設置された複数個（ここでは一例として４個）の圧力スイッチを示す平面図であり、図１０はそのＡ−Ａ断面図である。
【００４７】
この場合も、第２の実施形態とほぼ同様、４組の圧力スイッチ及び光電センサの状態を総合的に判断することで、４組のうちの少なくとも１組において、圧力スイッチから判別指令が出されている状態において判別投光器の投光ビームが判別受光器で受光された場合には、自転車であると判別し、一方、４組全てにおいて、圧力スイッチから判別指令が出されている状態において判別投光器の投光ビームが判別受光器で受光されないままである場合には、自動二輪車であると判別する。
【００４８】
このようにすることで、第２の実施形態と同様、圧力スイッチ及び光電センサを１組だけ配置した場合と比べ、障害物による誤判定を極力回避して、一層正確な判別を行うことができる。
【００４９】
なお、以上に示した実施形態では、タイヤ部の存在の有無を検知するための手段として光電センサや圧力スイッチを用いたが、その他のセンサやスイッチを用いて構成するようにしてもよい。
【００５０】
また、本発明を設置する対象は必ずしも自転車・自動二輪車兼用駐輪場の出入り口に限定されるものではなく、必要に応じてその他の場所に設置されてもよい。
更に、本発明における判別手段は、必ずしも厚み検知手段の近くに設置される必要はなく、例えば判別手段を厚み検知手段から遠く離れた場所に設置し、判別手段と厚み検知手段とを有線又は無線の通信回線やネットワークにより接続することで、駐輪場に出入りする二輪車の種別を遠隔管理することも可能である。
【図面の簡単な説明】
【００５１】
【図１】本発明の第１の実施形態に係る二輪車判別装置を設置した駐輪場出入り口の平面図である。
【図２】本発明の第１の実施形態に係る二輪車判別装置の要部を示す図である。
【図３】本発明の第１の実施形態に係る二輪車判別装置によって自転車を判別する場合の原理を示す状態遷移図である。
【図４】本発明の第１の実施形態に係る二輪車判別装置によって自動二輪車を判別する場合の原理を示す状態遷移図である。
【図５】本発明の第２の実施形態に係る二輪車判別装置の要部を表す図である。
【図６】本発明の第２の実施形態に係る二輪車判別装置を設置した駐輪場出入り口の平面図である。
【図７】本発明の第２の実施形態に係る二輪車判別装置における投光器と受光器の配置構成を示す図である。
【図８】本発明の第３の実施形態に係る二輪車判別装置の要部を表す図である。
【図９】本発明の第３の実施形態に係る二輪車判別装置おいて、圧力スイッチを複数用いた場合の平面図である。
【図１０】図９におけるＡ−Ａ断面図である。
【図１１】本発明の第１の実施形態に係る二輪車判別装置の検知・判別系を示す概略図である。
【図１２】本発明の第３の実施形態に係る二輪車判別装置の検知・判別系を示す概略図である。
【符号の説明】
【００５２】
１  精算器または発券機
２−（ａ），２−（ｂ）  光電センサ投光器
２−１，２−１−１，２−１−２  判別投光器
２−２，２−２−１，２−２−２  判別指令投光器
３−（ａ），３−（ｂ）  光電センサ受光器
３−１，３−１−１，３−１−２  判別受光器
３−２，３−２−１，３−２−２  判別指令受光器
４  光電センサカバー
５−（ａ），５−（ｂ）  投光ビーム
６  二輪車
７  ゲートＡ
８  ゲートＢ
９  タイヤ
１０  リム
１１  空気入れノズル
１２  反射板
１３  圧力スイッチ
１４  ベースプレート
１５  緩衝材
１６  制御部
【図１】
2006281958.tif 000003
【図２】
2006281958.tif 000004
【図３】
2006281958.tif 000005
【図４】
2006281958.tif 000006
【図５】
2006281958.tif 000007
【図６】
2006281958.tif 000008
【図７】
2006281958.tif 000009
【図８】
2006281958.tif 000010
【図９】
2006281958.tif 000011
【図１０】
2006281958.tif 000012
【図１１】
2006281958.tif 000013
【図１２】
2006281958.tif 000014